(57)【要約】【課題】装着時における安全性を確保するとともに作業性を向上させること。【解決手段】棒状のランプ本体５の端部に設けられ、灯器具のソケットに装着される口金１ａであって、ランプ本体５への給電用の一対の端子２０ａ、２０ｂを覆うカバー部材２２と、カバー部材２２を所定位置に保持する保持機構（爪部２２ｃ、２２ｄと引掛け部２９ｃ、２９ｄ）と、一対の端子２０ａ、２０ｂとランプ本体５とを導通状態または非導通状態に切り替えるスイッチ（接触片２０ａ−１、２０ｂ−１と回転端子３１ａ、３１ｂ）と、カバー部材２２が所定位置にある場合に、操作力を受けることによりスイッチを導通状態に動作させるスイッチ操作部２９と、を備える。【選択図】図４
2018147631.tif 000002
【特許請求の範囲】
【請求項１】
棒状のランプ本体の端部に設けられ、灯器具のソケットに装着される口金であって、
前記ランプ本体への給電用の一対の端子を覆うカバー部材と、
前記カバー部材を所定位置に保持する保持機構と、
前記一対の端子と前記ランプ本体とを導通状態または非導通状態に切り替えるスイッチと、
前記カバー部材が前記所定位置にある場合に、操作力を受けることにより前記スイッチを前記導通状態に動作させるスイッチ操作部と、
を備える、口金。
【請求項２】
前記導通状態および前記非導通状態のうち少なくとも一方が外部から視認可能な識別部をさらに備える、請求項１に記載の口金。
【請求項３】
前記カバー部材を前記一対の端子が突出する突出方向に付勢する付勢部材をさらに備え、
前記所定位置は、前記一対の端子が露出する状態となる保持位置であり、
前記カバー部材は、前記一対の端子が突出する側に位置する先端面に挿入孔が設けられ、前記付勢部材による付勢力に対抗する押圧力を受けることで、前記一対の端子を前記挿入孔に貫通させて露出させるとともに前記保持位置に移動する、請求項２に記載の口金。
【請求項４】
前記保持機構は、前記カバー部材に設けられた爪部と、前記スイッチ操作部に設けられた引掛け部とであって、前記カバー部材が前記保持位置に移動した際に前記爪部を前記引掛け部に係合させることで、前記カバー部材を前記保持位置に保持する、請求項３に記載の口金。
【請求項５】
前記保持機構は、前記スイッチ操作部が前記操作力を受けて移動した場合、前記爪部の前記引掛け部への係合を解除することで、前記カバー部材の前記保持位置での保持を解除する、請求項４に記載の口金。
【請求項６】
前記識別部は、前記スイッチ操作部に設けられた窓部、および前記窓部を介して外部から視認可能な位置に設けられ、前記導通状態および前記非導通状態を識別可能な識別情報である、請求項２〜５のいずれか一つに記載の口金。
【請求項７】
前記識別情報は、前記導通状態および前記非導通状態それぞれに対応する色である、請求項６に記載の口金。
【請求項８】
前記識別部は、前記スイッチ操作部の近傍に設けられ、前記導通状態および前記非導通状態それぞれに対応させて点灯される発光素子である、請求項２〜５のいずれ一つに記載の口金。
【請求項９】
前記スイッチは、前記スイッチ操作部が所定量以上の前記操作力を受けた場合に、前記導通状態に切り替える、請求項１〜８のいずれか一つに記載の口金。
【請求項１０】
前記スイッチ操作部は、口金構成部品によって回動可動域が規制されている、請求項１〜９のいずれか一つに記載の口金。
【請求項１１】
前記スイッチ操作部は、ユーザから受ける前記操作力の方向を明示する方向情報が設けられている、請求項１〜１０のいずれか一つに記載の口金。
【請求項１２】
前記ランプ本体と、
前記ランプ本体の内部に設けられた半導体発光素子と、
前記ランプ本体の両端部に設けられた請求項１〜１１のいずれか一つに記載の口金と、
を備える、直管形ＬＥＤランプ。
【請求項１３】
請求項１２に記載の直管形ＬＥＤランプと、
前記直管形ＬＥＤランプが装着される灯器具と、
を備える、照明装置。
【発明の詳細な説明】
【技術分野】
【０００１】
本発明は、口金、直管形ＬＥＤランプ、および照明装置に関する。
【背景技術】
【０００２】
近年、光源にＬＥＤ（Light  Emitting  Diode）を用いたＬＥＤランプが普及している。ＬＥＤランプは、従来の照明器具と比べて消費電力や二酸化炭素の排出量を大幅に低減できるとともに、製品寿命を大幅に拡大できるという利点がある。このため、従来の蛍光灯に代替する照明器具として直管形ＬＥＤランプが注目されている。
【０００３】
両側給電方式である既存の蛍光灯器具を、安定器についての工事を行うことなくそのまま用いるタイプでは、蛍光灯器具への直管形ＬＥＤランプの取り付け時、あるいは蛍光灯器具からの取り外し時に、電流が流れている口金の端子に作業者の手が触れてしまうことがあった。
【０００４】
この問題に対処すべく、口金の外面に付勢力で突出する操作体を備え、口金の端子がソケットに挿入されるときのソケットとの当接圧で操作体が所定位置まで押し込まれたときに導通させるスイッチを内蔵した直管形ＬＥＤランプ用スイッチ装置が知られている（例えば、特許文献１参照）。
【０００５】
また、口金の外面に付勢力で突出するカバー部材を備え、さらに回転体のスイッチ操作部材に所定の外力を加えることで導通させるスイッチを内蔵した直管形ＬＥＤランプが知られている（例えば、特許文献２参照）。
【発明の概要】
【発明が解決しようとする課題】
【０００６】
しかしながら、特許文献１のスイッチ装置では、仮に作業者が直管形ＬＥＤランプを装着する前に操作体を不意に押圧してしまうと導通してしまい、作業者の手が触れてしまう可能性がある。また、特許文献２の直管形ＬＥＤランプでは、カバー部材を押さえながら直管形ＬＥＤランプを灯器具に装着する必要があり、設置姿勢の自由度を制限してしまい作業が煩雑となってしまうという問題があった。
【０００７】
本発明は、上記に鑑みてなされたものであって、直管型ＬＥＤランプの装着時における安全性を確保するとともに、作業性を向上させることを目的とする。
【課題を解決するための手段】
【０００８】
上述した課題を解決し、目的を達成するために、本発明は、棒状のランプ本体の端部に設けられ、灯器具のソケットに装着される口金であって、前記ランプ本体への給電用の一対の端子を覆うカバー部材と、前記カバー部材を所定位置に保持する保持機構と、前記一対の端子と前記ランプ本体とを導通状態または非導通状態に切り替えるスイッチと、前記カバー部材が前記所定位置にある場合に、操作力を受けることにより前記スイッチを前記導通状態に動作させるスイッチ操作部と、を備える。
【発明の効果】
【０００９】
本発明によれば、直管型ＬＥＤランプの装着時における安全性を確保するとともに、作業性を向上させることができるという効果を奏する。
【図面の簡単な説明】
【００１０】
【図１】図１は、本実施形態の照明装置の分解斜視図である。
【図２】図２は、ランプ本体の分解斜視図である。
【図３】図３は、ランプ本体を図２の反対側から見た斜視図である。
【図４】図４は、直管形ＬＥＤランプの一方側の口金を示す図である。
【図５】図５は、他の方向情報を示した口金の図である。
【図６】図６は、口金の端子保持部を示す図である。
【図７】図７は、スイッチ構成を示す図である。
【図８】図８は、直管形ＬＥＤランプの一方側の口金を示す図である。
【図９】図９は、口金の一部の分解斜視図である。
【図１０】図１０は、カバー部材およびスイッチ操作部の断面図である。
【図１１】図１１は、直管形ＬＥＤランプのスイッチの状態が表示された口金の図である。
【図１２】図１２は、直管形ＬＥＤランプのスイッチの状態が表示された口金の図である。
【発明を実施するための形態】
【００１１】
以下に添付図面を参照して、口金、直管形ＬＥＤランプ、および照明装置の実施形態を詳細に説明する。図１は、本実施形態の照明装置の分解斜視図である。照明装置２００は、直管形ＬＥＤランプ１００と、直管形ＬＥＤランプ１００を装着する灯器具（照明器具）１５０とを備えている。
【００１２】
直管形ＬＥＤランプ１００は、細長い棒状のランプ本体５と、ランプ本体５の両端部に設けられた口金１ａ、１ｂとを備えている。
【００１３】
灯器具１５０は、蛍光灯を点灯させるための既存の器具と同じものである。灯器具１５０は、ソケット１５０ａ、１５０ｂの穴位置に合わせて直管形ＬＥＤランプ１００の口金１ａ、１ｂに備えられた給電用の端子（図４等の一対の端子２０ａ、２０ｂ参照）を差し込んで、直管形ＬＥＤランプ１００を装着する構成を有している。ソケット１５０ａ、１５０ｂへの端子挿入後、作業者が口金１ａ、１ｂに内蔵のスイッチをオン状態（導通状態）にすると、ソケット１５０ａ、１５０ｂから給電される商業用電流が端子を介してランプ本体５内のＬＥＤに流れ、ランプ本体５が点灯する。
【００１４】
次に、ランプ本体５の詳細について説明する。図２は、ランプ本体の分解斜視図である。図３は、ランプ本体を図２の反対側から見た斜視図である。図２に示すように、ランプ本体５は、断面が半円形の筒状の筐体２と、同じく断面が半円形の透光性のカバー３とから構成されている。
【００１５】
筐体２は、放熱効率を高めるために熱伝導率の大きい金属材料で形成されており、筐体２とカバー３との一体構成の外形は円筒形状となる。筐体２の平坦部の外側であって、カバー３の内側には、カバー３に対向して、実装基板としてのＬＥＤ基板１１が粘着性を有するシート１０を介して固定されている。
【００１６】
ＬＥＤ基板１１は、細長い長方形状のプリント基板であり、ＬＥＤ基板１１ａとＬＥＤ基板１１ｂとから構成されている。ＬＥＤ基板１１ａ、１１ｂには、それぞれ、ＥＬ効果を持つ半導体発光素子（光源）の一例としてのＬＥＤ１２ａ、１２ｂが筐体２の長手方向に所定の間隔で複数実装されている。
【００１７】
図３に示すように、筐体２の平坦部の内側には、筐体２の長手方向に延びる細長い長方形状の電源基板７が配置されており、その実装面には直流電源変換用の電子部品９が長手方向に所定の間隔で複数搭載されている。電源基板７は、クランプ１５で筐体２に固定されている。
【００１８】
口金１ａ、１ｂに接続されたコネクタから延びるリード線６ａ、６ｂを介して電源基板７に電流が供給される。そして、電源基板７に搭載された電子部品９によって直流に整流された電流は、リード線を通してＬＥＤ基板１１ａ、１１ｂに供給される。口金１ａ、１ｂに内蔵される後述のスイッチは、ソケット１５０ａ、１５０ｂに挿入される端子とリード線６ａ、６ｂとを電気的に接続する機能を有している。
【００１９】
図４は、直管形ＬＥＤランプの一方側の口金を示す図である。以下では、図４を参照して口金１ａの構成等の説明を行うが、口金１ｂも同様の構成となっている。図４（ａ）は、口金の斜視図で、図４（ｂ）は、口金の側面図である。図４（ｃ）は、口金の分解斜視図である。
【００２０】
図４（ａ）に示すように、口金１ａは、一端側がランプ本体５の端部に取り付けられ、他端側から一対の端子２０ａ、２０ｂが突出するハウジング２０と、ハウジング２０の他端側に一対の端子２０ａ、２０ｂの突出方向（図４（ａ）のＡ方向）に移動可能に設けられた円筒状のカバー部材２２とを有している。
【００２１】
ハウジング２０は、ランプ本体５の端部に取り付けられる口金ベース部２３と、カバー部材２２を支持する口金先端部２４と、一対の端子２０ａ、２０ｂが設けられている端子保持部２１とから構成されている。
【００２２】
カバー部材２２は、一対の端子２０ａ、２０ｂが突出する側である他端側に位置する先端面（底面）２２ｅに一対の端子２０ａ、２０ｂが貫通する挿通孔２２ａ、２２ｂが形成されている。
【００２３】
図４（ｃ）に示すように、口金先端部２４の内部には、付勢部材としての２本の圧縮スプリング２５が設けられている。なお、図４（ｃ）では、一方の圧縮スプリング２５が端子保持部２１の向こう側にあるため明示されていない。カバー部材２２は、この圧縮スプリング２５の付勢力によって一対の端子２０ａ、２０ｂが突出する突出方向（Ａ方向）に付勢されている。これにより、カバー部材２２に外力が作用しない状態では、一対の端子２０ａ、２０ｂは、その先端がカバー部材２２の先端面２２ｅから突出しない状態でカバー部材２２により覆われている（図４（ｃ）参照）。
【００２４】
また、図４（ｂ）に示すように、口金１ａは、口金先端部２４に嵌合する円環状のスイッチ操作部２９が設けられている。スイッチ操作部２９は、カバー部材２２が所定位置（後述の保持位置）にある場合に、ユーザから操作力を受けることにより回転操作され、スイッチをオン状態（導通状態）に動作させる。
【００２５】
なお、スイッチ操作部２９には、操作力を受ける回動方向が自明であるような記号等の方向情報、および把持のための凹凸が設けてある。本実施形態では、ユーザから受ける操作力の方向は、図４（ａ）（ｂ）等に示すように、三角形状の記号が示すＦ方向となっている。本実施形態では、この三角形状の記号が方向情報に相当し、操作力の方向（Ｆ方向）を明示している。
【００２６】
ここで、他の方向情報の例について説明する。図５は、他の方向情報を示した口金の図である。図５（ａ）は、口金の斜視図であり、図５（ｂ）は、口金の側面図である。図５に示すように、例えば、方向情報を兼ねて把持のためのスイッチ操作部２９０の凹凸をくの字に形成してもよい。これにより、図５では、ユーザから受ける操作力の方向は、くの字が示すＦ方向となっていることが明示されている。
【００２７】
スイッチ操作部２９は、回転端子３１ａ、３１ｂを備えた回転端子ホルダ３１が設けられている。スイッチ操作部２９がユーザからの操作力により回転すると、回転端子ホルダ３１も連動して回転し、さらに、回転端子ホルダ３１に備えられた回動端子３１ａ、３１ｂも連動して回転する。
【００２８】
図６は、口金の端子保持部を示す図である。図６（ａ）は、端子保持部の側面図であり、図６（ｂ）は、図６（ａ）のα方向から見た端子保持部の図である。図６（ｂ）に示すように、口金１ａの他端側から一対の端子２０ａ、２０ｂが突出している端子保持部２１は、内側に一対の端子２０ａ、２０ｂに接続された接触片２０ａ−１、２０ｂ−１を備えている。
【００２９】
スイッチ操作部２９は、ユーザからの操作力により回転操作されると、上述したように回転端子３１ａ、３１ｂが連動して回転する。そして、回転した回動端子３１ａ、３１ｂと接触片２０ａ−１、２０ｂ−１とが圧接して電気接点となり、通電可能な状態（導通状態）となる。回動端子３１ａ、３１ｂは、コネクタに接続されており、図２のリード線６ａ、６ｂに接続されている。
【００３０】
さらに、口金１ａは、図４（ｃ）に示すように、スイッチ操作部２９をユーザからの操作力の方向と反対方向（Ｆ方向と反対方向）の付勢力を与え、スイッチをオフ状態（非導通状態）に復帰させるトーションスプリング３３が備えられている。スイッチ操作部２９は、外力が作用しない状態では、スイッチがオフ状態となる位置に付勢されている。
【００３１】
カバー部材２２、端子保持部２１、口金先端部２４、およびスイッチ操作部２９の一体物を、ランプ本体５の端部にねじで固定された口金ベース部２３に押し込むことにより、ワンタッチ操作で口金１ａをランプ本体５に結合できるようになっている。
【００３２】
次に、スイッチの詳細について説明する。図７は、スイッチ構成を示す図である。図７（ａ）は、スイッチがオフ状態での斜視図であり、図７（ｂ）は、スイッチがオフ状態での図４（ｂ）のＣ−Ｃ断面図である。また、図７（ｃ）は、スイッチがオン状態での斜視図であり、図７（ｄ）は、スイッチがオン状態での図４（ｂ）のＣ−Ｃ断面図である。すなわち、図７（ａ）、（ｂ）は、スイッチオフ状態（ＯＦＦ）を、図７（ｃ）、（ｄ）はスイッチオン状態（ＯＮ）を示している。
【００３３】
図７（ａ）に示すように、スイッチをオン・オフさせるスイッチ操作部２９には、一対の端子２０ａ、２０ｂの突出方向（図７のＡ方向）に延びる操作片２９ａ、２９ｂが一体に形成されており、スイッチ操作部２９を回転させると操作片２９ａ、２９ｂを介して回転端子ホルダ３１が回転する。
【００３４】
図７（ｂ）に示すように、回転端子ホルダ３１には、リード線６ａに接続された回転端子３１ａ、３１ｂが設けられている。スイッチ操作部２９がオフ状態の位置に設定されているときは、端子２０ａに接続された接触片２０ａ−１と回転端子３１ａ、端子２０ｂに接続された接触片２０ｂ−１と回転端子３１ｂとは、それぞれ距離ｗ（図７（ｂ）参照）をおいて離間している。
【００３５】
図７（ｃ）、（ｄ）に示すように、スイッチ操作部２９がスイッチのオン状態の位置までＲ方向に回転操作されると、端子２０ａに接続された接触片２０ａ−１と回転端子３１ａ、端子２０ｂに接続された接触片２０ｂ−１と回転端子３１ｂとがそれぞれ接触し、一対の端子２０ａ、２０ｂとリード線６ａ、６ｂとが電気的に接続されて、導通状態となる。また、スイッチ操作部２９は、口金先端部２４（口金構成部品に相当）により回動方向の可動域が規制されている。
【００３６】
なお、本実施形態のスイッチは、一対の端子２０ａ、２０ｂに接続された接触片２０ａ−１、２０ｂ−１と、回転端子ホルダ３１に設けられた回転端子３１ａ、３１ｂとにより構成されており、一対の端子２０ａ、２０ｂとランプ本体５とを導通状態または非導通状態に切り替える。また、スイッチは、スイッチ操作部２９が所定量以上の操作力を受けた場合に回転し、当該回転に連動して回転端子３１ａ、３１ｂが回転することで、一対の端子２０ａ、２０ｂとランプ本体５とを接触させて導通状態に切り替える。
【００３７】
カバー部材２２が一対の端子２０ａ、２０ｂを覆う状態に突出しているときは、スイッチ操作部２９はトーションスプリング３３の付勢力により強制的にオフ状態（非導通状態）の位置に設定されている。
【００３８】
作業者がカバー部材２２を押し下げて一対の端子２０ａ、２０ｂを露出させ、一対の端子２０ａ、２０ｂに触れても、それだけではスイッチがオン状態（導通状態）となっていないため電流は流れておらず、作業者は損傷することはない。
【００３９】
そして、スイッチ操作部２９がユーザによる操作力を受けて回転操作されると、スイッチがオン状態の位置に設定され、そこで初めて電気が流れることになる。そのため、カバー部材２２は、作業者が電気の流れている部材に接触することを防止する２重の安全構成の第１段階をなす部材ともいえる。
【００４０】
本実施形態では、スイッチがオフ状態でカバー部材２２が一対の端子２０ａ、２０ｂの全体を覆う構成としたが、ソケット１５０ａ、１５０ｂ側の端子挿入孔との位置合わせを容易にするために、一対の端子２０ａ、２０ｂの一部が突出した状態に覆うように構成してもよい。また、カバー部材２２が一対の端子２０ａ、２０ｂの全体を覆う構成において、カバー部材２２の側面に端子位置を表示するマークを形成して、装着作業の容易化を図ってもよい。
【００４１】
図８は、直管形ＬＥＤランプの一方側の口金を示す図である。図８では、一対の端子２０ａ、２０ｂがカバー部材２２から露出した状態を示している。図８（ａ）は、口金の斜視図で、図８（ｂ）は、口金の側面図である。
【００４２】
カバー部材２２は、圧縮スプリング２５による付勢力に対抗する押圧力を受けることで、図８（ａ）（ｂ）に示すように、一対の端子２０ａ、２０ｂを先端面２２ｅに形成された挿入孔２２ａ、２２ｂに貫通させて露出させる。すなわち、カバー部材２２をランプ本体５の軸方向（図８（ａ）のＢ方向）、すなわち口金先端部２４内に押し込むと、一対の端子２０ａ、２０ｂが露出する。本実施形態では、図８に示すような一対の端子２０ａ、２０ｂがカバー部材２２から露出する状態となる所定位置を保持位置としている。
【００４３】
次に、カバー部材２２を所定位置に保持する保持機構について説明する。図４（ａ）（ｂ）、図８（ａ）（ｂ）に示すように、カバー部材２２は、図４に示す待機位置と、図８に示す保持位置とを、ランプ本体５の円筒長手方向（Ａ方向およびＢ方向）に沿って移動可能となっている。
【００４４】
図９は、口金の一部の分解斜視図である。図９の口金１ａでは、保持機構の説明のために、口金ベース部２３、スイッチ操作部２９の回転端子ホルダ３１、圧縮スプリング２５等が記載されていない図となっている。図１０は、カバー部材およびスイッチ操作部の断面図である。図１０（ａ）は、スイッチがオフ状態であり、図１０（ｂ）は、スイッチがオン状態である。
【００４５】
図９に示すように、カバー部材２２には、返しの付いた爪部２２ｃ、２２ｄが設けられている。また、スイッチ操作部２９には、引掛け部２９ｃ、２９ｄが設けられている。ここで、スイッチ操作部２９に外力が作用しておらず、トーションスプリング３３の付勢力により付勢された状態では、スイッチ操作部２９の回転方向において爪部２２ｃ、２２ｄと、引掛け部２９ｃ、２９ｄの位相が一致している。
【００４６】
そして、図８に示すようにカバー部材２２が保持位置に移動した場合、図１０（ａ）の断面図に示すように、爪部２２ｃ、２２ｄと、引掛け部２９ｃ、２９ｄとが係合する。カバー部材２２は、前述したように圧縮スプリング２５が設けられているため、圧縮スプリング２５の付勢力により一対の端子２０ａ、２０ｂの突出方向（Ａ方向）に付勢されている。
【００４７】
しかし、カバー部材２２の爪部２２ｃ、２２ｄと、引掛け部２９ｃ、２９ｄとが係合することで、カバー部材２２を保持位置に保持することが可能となっている。この状態で灯器具１５０に直管形ＬＥＤランプ１００を設置することができるため、口金１ａ、１ｂの端部近傍を押さえた状態で設置する必要がなく、自由な姿勢で設置することができ、作業性が向上する。
【００４８】
続いて、直管形ＬＥＤランプ１００を灯器具１５０に設置した状態で、ユーザよる操作力を受けてスイッチ操作部２９が回動するとスイッチがオン状態となる。この際、回転方向において爪部２２ｃ、２２ｄと、引掛け部２９ｃ、２９ｄとの位相がずれることで、図１０（ｂ）の断面図に示すように、カバー部材２２の保持位置での保持が解除される。
【００４９】
このとき、灯器具１５０への直管形ＬＥＤランプ１００の設置が不完全であった場合等には、図４の待機位置に戻り、スイッチ操作部２９がリリースされるため、接点が離間し、スイッチがオフ状態となる。
【００５０】
一方で、灯器具１５０への直管形ＬＥＤランプ１００が正しく設置された場合には、ソケット１５０ａ、１５０ｂに挟み込まれているため、スイッチ操作部２９が操作力を受けて回動しても、カバー部材２２は保持位置のままで、スイッチがオン状態となる。
【００５１】
次に、スイッチのオン状態とオフ状態の識別について説明する。口金１ａ、１ｂは、導通状態および非導通状態のうち少なくとも一方が外部から視認可能な識別部を備えている。図１１は、直管形ＬＥＤランプのスイッチの状態が表示された口金の図である。図１１（ａ）は、スイッチがオフ状態の表示であり、図１１（ｂ）は、スイッチがオン状態の表示である。
【００５２】
図１１に示すように、スイッチ操作部２９は、窓部２９ｅが設けられている。この窓部２９ｅの内側にはハウジング２０があり、窓部２９ｅを介して外部から視認可能となっている。ハウジング２０は、窓部２９ｅから視認可能な位置に、オン状態（導通状態）およびオフ状態（非導通状態）を識別可能な識別情報が設けられている。
【００５３】
図１１に示す識別情報としては、スイッチがオフ状態の場合とオン状態の場合とで色を異ならせて表示することにより識別可能となっている。すなわち、識別情報は、オン状態およびオフ状態それぞれに対応する色により表示する。例えば、スイッチがオフ状態のときは赤色が表示され、スイッチがオン状態のときは白色が表示されている。この窓部２９ｅと当該識別情報とが識別部の一例である。
【００５４】
他の識別部の例を示す。図１２は、直管形ＬＥＤランプのスイッチの状態が表示された口金の図である。図１２（ａ）は、スイッチがオフ状態の表示であり、図１２（ｂ）は、スイッチがオン状態の表示である。
【００５５】
図１２に示す識別部としては、スイッチがオフ状態の場合とオン状態の場合とで刻印を異ならせて表示することにより識別可能となっている。例えば、スイッチがオフ状態のときは「ＯＦＦ」の文字が表示され、スイッチがオン状態のときは「ＯＮ」の文字が表示される。
【００５６】
また、他の識別部として、例えば、スイッチ操作部２９の近傍に設けられ、オン状態およびオフ状態それぞれに対応させて点灯される発光素子を備える構成としてもよい。なお、直管形ＬＥＤランプ１００は、設置作業時以外ではスイッチがオン状態（導通状態）で使用されているため、オン状態で目立たず、オフ状態で目立つように表示される構成することが望ましいが、オン状態またはオフ状態が視認可能であればこの限りではない。
【００５７】
このように、直管形ＬＥＤランプ１００のスイッチの状態が、外部から視認可能に表示されることで、灯器具１５０に直管形ＬＥＤランプ１００を設置した後でも、外さなくともスイッチの状態を確認することができるため、利便性が向上する。
【００５８】
このように、本実施形態の直管形ＬＥＤランプ１００に装着される口金１ａでは、一対の端子２０ａ、２０ｂを覆うカバー部材２２が、圧縮スプリング２５の付勢力に対抗する押圧力を受けた場合、一対の端子２０ａ、２０ｂが露出する保持位置に移動する。このとき、カバー部材２２の爪部２２ｃ、２２ｄと、スイッチ操作部２９の引掛け部２９ｃ、２９ｄとが係合することでカバー部材２２を保持位置で保持できる。これにより、直管形ＬＥＤランプ１００の設置姿勢の自由度を制限することなく、作業性を向上させることができる。
【００５９】
また、本実施形態の直管形ＬＥＤランプ１００に装着される口金１ａでは、カバー部材２２が保持位置にあるだけでは一対の端子２０ａ、２０ｂに電流が流れることはなく、作業者が損傷することがない。本実施形態の口金１ａは、カバー部材２２が保持位置にある場合に、スイッチ操作部２９が操作力を受け、スイッチをオン状態（導通状態）にすることで、一対の端子２０ａ、２０ｂに電流が流れる構成となっている。これにより、作業者が電気の流れている部材に接触することを防止する２重の安全構成となっており、直管型ＬＥＤランプ１００の装着時における安全性を確保することができる。
【００６０】
また、本実施形態の直管形ＬＥＤランプ１００に装着される口金１ａでは、スイッチ操作部２９に設けられた窓部２９ｅから、スイッチの状態（オン状態またはオフ状態）の識別情報が視認可能となっている。これにより、灯器具１５０に直管形ＬＥＤランプ１００を設置した後に、当該ランプを外さなくともスイッチの状態を確認することができるため、利便性が向上する。
【産業上の利用可能性】
【００６１】
以上のように、本発明にかかる口金、直管形ＬＥＤランプ、および照明装置は、電球および照明器具（例えば、屋内用照明器具（天井灯）、屋外用照明器具（街路灯、街路灯用ポール、街路灯用グローブ、庭園灯、門灯））に有用である。
【符号の説明】
【００６２】
１ａ、１ｂ  口金
２  筐体
３  カバー
５  ランプ本体
６ａ、６ｂ  リード線
７  電源基板
９  電子部品
１０  シート
１１（１１ａ、１１ｂ）  基板
１５  クランプ
２０  ハウジング
２０ａ−１、２０ｂ−１  接触片
２０ａ、２０ｂ  端子（一対の端子）
２１  端子保持部
２２  カバー部材
２２ｅ  先端面（底面）
２２ａ、２２ｂ  挿通孔
２２ｃ、２２ｄ  爪部
２３  口金ベース部
２４  口金先端部
２５  圧縮スプリング
２９  スイッチ操作部
２９ａ、２９ｂ  操作片
２９ｃ、２９ｄ  引掛け部
２９ｅ  窓部
３１ａ、３１ｂ  回転端子
３１  回転端子ホルダ
３３  トーションスプリング
１００  直管形ＬＥＤランプ
１５０ａ、１５０ｂ  ソケット
１５０  灯器具
２００  照明装置
【先行技術文献】
【特許文献】
【００６３】
【特許文献１】特許第４９７６５７９号公報
【特許文献２】特開２０１６−１３４２２５号公報
【図１】
2018147631.tif 000003
【図２】
2018147631.tif 000004
【図３】
2018147631.tif 000005
【図４】
2018147631.tif 000006
【図５】
2018147631.tif 000007
【図６】
2018147631.tif 000008
【図７】
2018147631.tif 000009
【図８】
2018147631.tif 000010
【図９】
2018147631.tif 000011
【図１０】
2018147631.tif 000012
【図１１】
2018147631.tif 000013
【図１２】
2018147631.tif 000014